(57)【要約】【課題】ボールのインパクト時におけるフェース部の変形動作を制御し、飛距離を大きくすることができるゴルフクラブヘッドの提供を課題とする。【解決手段】本発明の一態様に係るゴルフクラブヘッド２は、フェース部１２を有する中空のヘッド本体１１を備え、ヘッド本体１１が、その内面に、フェース部１２から離間しかつこのフェース部１２の外縁に沿う方向に延在するリブ１３を有し、リブ１３とフェース部１２との平均間隔が２ｍｍ以上２０ｍｍ以下である。【選択図】図３
2020174904.tif 000002
【特許請求の範囲】
【請求項１】
フェース部を有する中空のヘッド本体を備え、
前記ヘッド本体が、その内面に、前記フェース部から離間しかつこのフェース部の外縁に沿う方向に延在するリブを有し、
前記リブと前記フェース部との平均間隔が２ｍｍ以上２０ｍｍ以下であるゴルフクラブヘッド。
【請求項２】
前記リブが、少なくとも前記フェース部の外縁に沿う方向において前記内面の曲率半径が最小となる位置に形成される請求項１に記載のゴルフクラブヘッド。
【請求項３】
前記リブが前記内面の全周に亘って形成される請求項２に記載のゴルフクラブヘッド。
【請求項４】
前記フェース部のフェースセンターの接平面に対する前記リブの前記フェース部に対向する側面の傾きが２０°以下である請求項１、請求項２又は請求項３に記載のゴルフクラブヘッド。
【請求項５】
前記ヘッド本体が、その内面にシャフト取付部を有し、前記リブがこのシャフト取付部に接続されている請求項１から請求項４のいずれか１項に記載のゴルフクラブヘッド。
【請求項６】
前記シャフト取付部が前記リブの一部を兼ねている請求項５に記載のゴルフクラブヘッド。
【請求項７】
前記ヘッド本体が、前記フェース部の下縁から後方に延びるソール部と、このソール部の内面に設けられるウエイトとを有し、
前記ウエイトが前記リブの一部を兼ねている請求項１から請求項６のいずれか１項に記載のゴルフクラブヘッド。
【請求項８】
請求項１から請求項７のいずれか１項に記載のゴルフクラブヘッドを備えるゴルフクラブ。
【発明の詳細な説明】
【技術分野】
【０００１】
本発明は、ゴルフクラブヘッド及びゴルフクラブに関する。
【背景技術】
【０００２】
中空のヘッド本体を有するウッド型ゴルフクラブヘッドには、打球の飛距離を増大できるよう反発性能が大きいことが望まれる。従来打球の飛距離を増大させるためには、フェース部の撓みを大きくすることが有効とされている。
【０００３】
このような観点から、中空なヘッドの内面のシャフト接続部の後方にトゥヒール方向に沿う板状の補強リブを設けることが提案されている（特開２０００−１７６０５６号公報参照）。
【先行技術文献】
【特許文献】
【０００４】
【特許文献１】特開２０００−１７６０５６号公報
【発明の概要】
【発明が解決しようとする課題】
【０００５】
前記公報に記載のウッドクラブは、前記補強リブを有することで、ボールのインパクト時にヘッドの補強リブよりも後方の変形が抑制され、インパクトのエネルギーがフェース部の変形に費やされるとされている。これにより、このウッドクラブは、フェース部を効果的に撓ませることができ、フェース部の変形により打球の初速度を上げ、打球の飛距離を増大できるとされている。
【０００６】
しかしながら、この公報では、インパクト時にフェース部が撓めばよいとされており、このフェース部の変形形状と飛距離の増大との関係については検討されていない。
【０００７】
本発明は、このような事情に基づいてなされたものであり、本発明の課題は、ボールのインパクト時におけるフェース部の変形動作を制御し、打球の飛距離を大きくすることができるゴルフクラブヘッド及びゴルフクラブを提供することにある。
【課題を解決するための手段】
【０００８】
前記課題を解決するためになされた本発明の一態様に係るゴルフクラブヘッドは、フェース部を有する中空のヘッド本体を備え、前記ヘッド本体が、その内面に、前記フェース部から離間しかつこのフェース部の外縁に沿う方向に延在するリブを有し、前記リブと前記フェース部との平均間隔が２ｍｍ以上２０ｍｍ以下である。
【０００９】
前記リブが、少なくとも前記フェース部の外縁に沿う方向において前記内面の曲率半径が最小となる位置に形成されるとよい。
【００１０】
前記リブが前記内面の全周に亘って形成されるとよい。
【００１１】
前記フェース部のフェースセンターの接平面に対する前記リブの前記フェース部に対向する側面の傾きとしては２０°以下が好ましい。
【００１２】
前記ヘッド本体が、その内面にシャフト取付部を有し、前記リブがこのシャフト取付部に接続されているとよい。
【００１３】
前記シャフト取付部が前記リブの一部を兼ねているとよい。
【００１４】
前記ヘッド本体が、前記フェース部の下縁から後方に延びるソール部と、このソール部の内面に設けられるウエイトとを有し、前記ウエイトが前記リブの一部を兼ねているとよい。
【００１５】
本発明の他の一態様に係るゴルフクラブは、当該ゴルフクラブヘッドを備える。
【００１６】
なお、本発明において、ヘッド本体の「前」とはヘッド本体の打撃する側をいい、「後」とはその反対側をいう。「フェース面」とは、ヘッド本体の前側の面のうち、曲率半径が１００ｍｍ以上である範囲を意味する。なお、この「曲率半径」は、曲率が最も大きくなる方向と平行な垂直断面（測定点における法線を含む断面）における切断エッジ（スコアライン等による凹凸を除く）の曲率半径とする。また、「フェース部」とは、このフェース面を前面に有する部分をいう。「フェースセンター」とは、フェース面の水平方向（トゥヒール方向）の両端間の中央位置におけるこのフェース面の上下方向中央位置をいう。「リブとフェース部との平均間隔」とは、リブとフェース部との最小間隔と最大間隔との平均値をいう。なお、「リブとフェース部との最大間隔」とは、リブとフェース部との間の最小距離が最大となる間隔をいう。
【発明の効果】
【００１７】
本発明者が鋭意検討したところ、ボールのインパクト時にフェース部が外周縁側へ広がるのを抑えることで、打球の飛距離を大きくすることができることが分かった。本発明の一態様に係るゴルフクラブヘッドは、前記ヘッド本体の内面にフェース部の外縁に沿う方向に延在するリブを有し、このリブと前記フェース部との平均間隔が前記範囲内であるので、ボールのインパクト時における前記フェース部の外周縁側への広がりを抑制し、打球の飛距離を大きくすることができる。
【図面の簡単な説明】
【００１８】
【図１】図１は、本発明の一実施形態に係るゴルフクラブを示す模式的正面図である。
【図２】図２は、図１のゴルフクラブヘッドの前後方向と垂直な平面で切断した模式的断面図である。
【図３】図３は、図１のゴルフクラブヘッドのＡ−Ａ線断面図である。
【図４】図４は、図１のゴルフクラブヘッドのフェースセンターを通り、かつこのフェースセンターの接平面と直交する上下方向平面で切断した断面図である。
【図５】図５は、図１のゴルフクラブヘッドとは異なる実施形態に係るゴルフクラブヘッドを示す図２に対応する断面図である。
【図６】図６は、図１及び図５のゴルフクラブヘッドとは異なる実施形態に係るゴルフクラブヘッドを示す図３に対応する断面図である。
【図７】図７は、図１、図５及び図６のゴルフクラブヘッドとは異なる実施形態に係るゴルフクラブヘッドを示す図２に対応する断面図である。
【図８】図８は、図１、図５〜図７のゴルフクラブヘッドとは異なる実施形態に係るゴルフクラブヘッドを示す図２に対応する断面図である。
【図９】図９は、図１、図５〜図８のゴルフクラブヘッドとは異なる実施形態に係るゴルフクラブヘッドを示す図４に対応する断面図である。
【発明を実施するための形態】
【００１９】
以下、適宜図面を参照しつつ、本発明の実施の形態を詳説する。
【００２０】
［第一実施形態］
＜ゴルフクラブ＞
図１のゴルフクラブ１は、ゴルフクラブヘッド２と、ゴルフクラブヘッド２に接続されるシャフト３とを備える。ゴルフクラブヘッド２は、それ自体本発明の一実施形態を構成する。
【００２１】
＜ゴルフクラブヘッド＞
当該ゴルフクラブヘッド２は、ウッド型ゴルフクラブヘッドである。当該ゴルフクラブヘッド２は、図２〜図４に示すように、フェース部１２を有する中空のヘッド本体１１を備える。ヘッド本体１１は、例えばメタルウッドヘッドであって、チタン等の金属を主成分としている。フェース部１２は、ヘッド本体１１の前壁を構成する。フェース部１２は、その前面にフェース面１２ａを有する。フェース面１２ａは、ゴルフボールが衝突する打撃面を構成する。
【００２２】
ヘッド本体１１は、その内面にフェース部１２から離間し、かつフェース部１２の外縁に沿う方向に延在するリブ１３を有する。リブ１３は、フェース部１２から離間してフェース部１２の後方に配置される。また、ヘッド本体１１は、フェース部１２の下縁から後方に延びるソール部１４と、フェース部１２の上縁から後方に延びるクラウン部１５と、フェース部１２の左右一対の側縁から後方に延び、ソール部１４とクラウン部１５との間に配置されるサイド部１６とを有する。ヘッド本体１１は、その内面にシャフト取付部１７を有する。シャフト取付部１７は、ヘッド本体１１のヒール側の内面に設けられる。シャフト取付部１７は、ヘッド本体１１の内面の内側に突出する筒状のシャフト挿入部１７ａを有する。シャフト挿入部１７ａは、ヘッド本体１１のヒール側の上下方向に延びている。
【００２３】
（リブ）
リブ１３は、シャフト取付部１７に接続されている。具体的には、リブ１３は、ヘッド本体１１の内面に沿うよう長手方向に沿って湾曲した長尺板状の第１部分１３ａを有し、この第１部分１３ａがシャフト取付部１７に接続されている。当該ゴルフクラブヘッド２は、シャフト取付部１７がヘッド本体１１の内面側に突出しており、このシャフト取付部１７に第１部分１３ａが接続されることで、リブ１３をフェース部１２に近接した位置に容易に配置することができる。
【００２４】
リブ１３は、前述の第１部分１３ａと、第１部分１３ａの両端部間を接続する第２部分と有する。この第２部分は、シャフト取付部１７、より詳しくはシャフト挿入部１７ａによって構成されている。つまり、当該ゴルフクラブヘッド２は、シャフト取付部１７がリブ１３の一部を兼ねている。当該ゴルフクラブヘッド２は、シャフト取付部１７がリブ１３の一部を兼ねるので、シャフト取付部１７の内面には第１部分１３ａは形成されていない。当該ゴルフクラブヘッド２は、シャフト取付部１７がリブ１３の一部を兼ねることで、リブ１３を設けることに起因して重量が大きくなることを抑制することができる。また、これにより、その他の部分にウエイトを配置しやすくなり、重量バランスを調節しやすい。
【００２５】
第１部分１３ａは、ソール部１４、クラウン部１５及びトゥー側のサイド部１６に跨って延びている。第１部分１３ａは正面視Ｃ字状である。第１部分１３ａの長手方向と垂直な方向の断面形状としては、特に限定されないが、例えば矩形状、より詳しくは略長方形状である。
【００２６】
第１部分１３ａの高さＨは均一であってもよく、部分的に異なっていてもよい。第１部分１３ａの平均高さの下限としては、３ｍｍが好ましく、５ｍｍがより好ましい。一方、前記平均高さの上限としては、２０ｍｍが好ましく、１０ｍｍがより好ましい。前記平均高さが前記下限に満たないと、ボールのインパクト時におけるヘッド本体１１の変形を十分に抑制することができないおそれがある。逆に、前記平均高さが前記上限を超えると、ヘッド本体１１の重さが不必要に大きくなるおそれがある。なお、「平均高さ」とは、高さＨの最大値と最小値とを平均した値をいう。
【００２７】
第１部分１３ａの最大高さの上限としては、２０ｍｍが好ましく、１５ｍｍがより好ましい。前記最大高さが前記上限を超えると、ヘッド本体１１の重さが不必要に大きくなるおそれがある。
【００２８】
ボールのインパクト時におけるヘッド本体１１の変形を抑制する観点からは、第１部分１３ａの高さＨを大きくする方が、第１部分１３ａの厚さＴを大きくするよりも、大きな効果が見込まれる。そのため、第１部分１３ａの厚さＴは第１部分１３ａの高さＨよりも小さいことが好ましい。
【００２９】
第１部分１３ａの厚さＴは均一であってもよく、部分的に異なっていてもよい。第１部分１３ａの平均厚さの下限としては、０．５ｍｍが好ましく、０．７ｍｍがより好ましい。一方、前記平均厚さの上限としては、３．０ｍｍが好ましく、１．０ｍｍがより好ましい。前記平均厚さが前記下限に満たないと、ボールのインパクト時におけるヘッド本体１１の変形を十分に抑制することができないおそれがある。逆に、前記平均厚さが前記上限を超えると、ヘッド本体１１の重さが不必要に大きくなるおそれがある。なお、「平均厚さ」とは、厚さＴの最大値と最小値とを平均した値をいう。
【００３０】
第１部分１３ａのフェース部１２側の側面１３ｂは平面であることが好ましい。このように、側面１３ｂを平面とすることで、第１部分１３ａをその長手方向の全域に亘ってフェース部１２に近接させやすい。
【００３１】
前述のように、リブ１３は、フェース部１２の外縁に沿う方向に延在している。換言すると、リブ１３は、ソール部１４、クラウン部１５及びサイド部１６を跨ぐ方向に延在している。第１部分１３ａのフェース部１２の上方に位置する領域は、トゥヒール方向において、フェース部１２の上縁と平行であることが好ましい。第１部分１３ａのフェース部１２の下方に位置する領域は、トゥヒール方向において、フェース部１２の下縁と平行であることが好ましい。また、第１部分１３ａのフェース部１２の上方及び下方に位置する領域は、トゥヒール方向において、フェースセンター１２ｂの接平面Ｘと平行であることも好ましい。なお、本明細書において「平行」とは、両者のなす角が１０°以下であることをいい、好ましくは５°以下、より好ましくは３°以下であることをいう。
【００３２】
リブ１３とフェース部１２との平均間隔Ｄの下限としては、２ｍｍであり、３ｍｍが好ましい。一方、前記平均間隔Ｄの上限としては、２０ｍｍであり、１０ｍｍが好ましく、５ｍｍがより好ましい。前記平均間隔Ｄが前記下限に満たないと、リブ１３の一部がフェース部１２に接続される等、リブ１３の形成が容易でなくなるおそれがある。逆に、前記平均間隔Ｄが前記上限を超えると、ボールのインパクト時におけるフェース部１２の外周縁側への広がりを十分に抑制することができないおそれがある。
【００３３】
リブ１３は、少なくともフェース部１２の外縁に沿う方向においてヘッド本体１１の内面の曲率半径が最小となる位置に形成されることが好ましい。具体的には、例えばリブ１３は、フェースセンター１２ｂの接平面Ｘと平行な仮想平面による切断面においてヘッド本体１１の内面の曲率半径が最小となる位置に形成されることが好ましい。この曲率半径が最小となる位置は、例えばサイド部１６の内面に設けられる。この曲率半径が最小となる位置は、ボールのインパクト時に変形しやすいため、フェース部１２が外周縁側に広がるのを助長しやすい。これに対し、リブ１３が前記曲率半径が最小となる位置に形成されることで、ボールのインパクト時におけるこの部分の変形を抑制し、フェース部１２が外周縁側に広がるのを抑えやすい。
【００３４】
リブ１３は、ヘッド本体１１の内面の全周に亘って形成されている。当該ゴルフクラブヘッド２は、リブ１３がヘッド本体１１の内面の全周に亘って形成されることで、ボールのインパクト時にフェース部１２の外縁の位置を固定しやすく、フェース部１２の外周縁側への広がりをより確実に抑制することができる。
【００３５】
図４に示すように、フェース部１２のフェースセンター１２ｂの接平面Ｘに対するリブ１３のフェース部１２に対向する側面（より詳しくは、第１部分１３ａのフェース部１２に対向する側面１３ｂ）の傾き（高さ方向の傾き）αの上限としては、２０°が好ましく、１５°がより好ましく、１０°がさらに好ましい。一方、前記傾きαの下限としては、０°とすることができる。傾きαが０°の場合、第１部分１３ａのフェース部１２に対向する側面１３ｂは接平面Ｘと平行とすることができる。傾きαが前記上限を超えると、フェース部１２の外周縁側への広がりを抑制し難くなるおそれがある。
【００３６】
リブ１３は、ボールのインパクト時におけるヘッド本体１１の変形を抑制できるよう剛性を有する。リブ１３は、例えば金属を主成分として構成される。リブ１３は、ソール部１４、クラウン部１５及びサイド部１６と同一の材料で、これらと一体的に形成されることが好ましい。具体的には、リブ１３は、例えばソール部１４、クラウン部１５及びサイド部１６と一体的に鋳造されることが好ましい。これにより、リブ１３によるヘッド本体１１の変形抑制効果が得られやすい。
【００３７】
一方、リブ１３は、ソール部１４、クラウン部１５及びサイド部１６に対し、溶接等によって取り付けられたものであってもよい。また、第１部材１３ａは、ソール部１４、クラウン部１５及びサイド部１６の内周面に前方から嵌め込んで形成されたものであってもよい。第１部分１３ａを嵌め込みによって形成する場合、第１部分１３ａは、接着剤によってソール部１４、クラウン部１５及びサイド部１６の内周面に接着されてもよい。
【００３８】
＜利点＞
本発明者が鋭意検討したところ、打球の飛距離を大きくするためには、ボールのインパクト時にフェース部１２が外周縁側に広がるのを抑え、打撃方向に加わる力が拡散されるのを抑制することが有効であることが分かった。当該ゴルフクラブヘッド２は、ヘッド本体１１の内面にフェース部１２の外縁に沿う方向に延在するリブ１３を有し、このリブ１３とフェース部１２との平均間隔Ｄが前記範囲内であるので、ボールのインパクト時におけるフェース部１２の外周縁側への広がりを抑制することができる。これにより、当該ゴルフクラブヘッド２は、反発性能を高め、打球の初速を増大し、スピン量を小さくすることで、打球の飛距離を大きくすることができる。
【００３９】
当該ゴルフクラブ１は、当該ゴルフクラブヘッド２を備えるので、打球の飛距離を大きくすることができる。
【００４０】
［第二実施形態］
＜ゴルフクラブヘッド＞
図５のゴルフクラブヘッド２０は、図１のゴルフクラブヘッド２に代えて用いられ得る。当該ゴルフクラブヘッド２０は、フェース部を有する中空のヘッド本体２１を備える。当該ゴルフクラブヘッド２０は、ヘッド本体２１がその内面に前記フェース部から離間し、かつこのフェース部の外縁に沿う方向に延在するリブ２３を有する。リブ２３と前記フェース部との平均間隔は２ｍｍ以上２０ｍｍ以下である。
【００４１】
当該ゴルフクラブヘッド２０は、前記フェース部の外縁に沿う方向においてヘッド本体２１の内面の曲率半径が最小となる位置を含む領域でリブ２３の強度が大きくなっていること以外、図１のゴルフクラブヘッド２と同様の構成とすることができる。そのため以下では、リブ２３の図１のリブ３との相違点についてのみ説明する。
【００４２】
リブ２３は、前記フェース部の外縁に沿う方向においてヘッド本体２１の内面の曲率半径が最小となる位置を含む領域における高さが、その他の領域における高さよりも大きい。例えばリブ２３は、前記フェース部のフェースセンター１の接平面と平行な仮想平面による切断面においてヘッド本体２１の内面の曲率半径が最小となる位置を含む領域における高さが部分的に大きい。本実施形態では、リブ２３は、ヘッド本体２１のサイド部１６の内面に設けられる部分の高さが他の部分の高さよりも大きい。
【００４３】
＜利点＞
前記フェース部の外縁に沿う方向においてヘッド本体２１の内面の曲率半径が最小となる位置を含む領域は、ボールのインパクト時に変形しやすい。当該ゴルフクラブヘッド２０は、ボールのインパクト時に変形しやすい部分におけるリブ２３の高さを大きくすることで、ボールのインパクト時におけるこの部分の変形をより確実に抑制し、前記フェース部が外周縁側に広がるのをより抑えることができる。
【００４４】
また、当該ゴルフクラブヘッド２０は、前記フェース部の外縁に沿う方向においてヘッド本体２１の内面の曲率半径が小さくなるヒール側のサイド部１６には、リブ２３の第２部分としてシャフト取付部１７が配置されている。このシャフト取付部１７は第１部分２３ａから前後方向に二股に分かれており、比較的強度が大きくなっている。そのため、当該ゴルフクラブヘッド２０は、リブ２３によってヘッド本体２１のトゥヒール方向の両端側の強度を大きくすることができ、前記フェース部が外周縁側に広がるのをより容易に抑えることができる。
【００４５】
［第三実施形態］
＜ゴルフクラブヘッド＞
図６のゴルフクラブヘッド３０は、図１のゴルフクラブヘッド２に代えて用いられ得る。当該ゴルフクラブヘッド３０は、フェース部１２を有する中空のヘッド本体３１を備える。当該ゴルフクラブヘッド３０は、ヘッド本体３１がその内面にフェース部１２から離間し、かつこのフェース部１２の外縁に沿う方向に延在するリブ３３を有する。リブ３３とフェース部１２との平均間隔は２ｍｍ以上２０ｍｍ以下である。
【００４６】
ヘッド本体３１は、フェース部１２の下縁から後方に延びるソール部１４と、ソール部１４の内面に設けられるウエイト３４とを有する。当該ゴルフクラブヘッド３０は、ヘッド本体３１がウエイト３４を有する以外、図１のゴルフクラブヘッド２と同様の構成とすることができる。そのため以下では、ウエイト３４についてのみ説明する。
【００４７】
ウエイト３４は、ソール部１４の内面に設けられることで当該ゴルフクラブヘッド３０の重量バランスを調節する。ウエイト３４は、例えば金属製であり、好ましくはソール部１４と同じ材料でソール部１４と一体的に形成される。ウエイト３４の具体的形状としては、特に限定されるものではないが、例えば略直方体状とすることができる。
【００４８】
ウエイト３４は、リブ３３の一部を兼ねている。具体的には、ウエイト３４は、ソール部１４の内面に配置されるリブ３３の第１部分３３ａの後ろ側の側面から後方に連続して設けられる。このように、ウエイト３４が第１部分３３ａの後ろ側の側面から後方に連続して設けられることで、第１部分３３ａのフェース部１２に対向する側面は面一に保たれる。
【００４９】
＜利点＞
当該ゴルフクラブヘッド３０は、ウエイト３４がリブ３３の一部を兼ねることで（つまり、リブ３３がウエイト３４を含むことで）、リブ３３に、当該ゴルフクラブヘッド３０の重量バランス調節機能に加え、ボールのインパクト時におけるフェース部１２の外周縁側への広がり抑制機能を付加することができる。そのため、当該ゴルフクラブヘッド３０は、打球の飛距離をより大きくすることができる。
【００５０】
［第四実施形態］
＜ゴルフクラブヘッド＞
図７のゴルフクラブヘッド４０は、図１のゴルフクラブヘッド２に代えて用いられ得る。当該ゴルフクラブヘッド４０は、フェース部を有する中空のヘッド本体４１を備える。当該ゴルフクラブヘッド４０は、ヘッド本体４１がその内面に前記フェース部から離間し、かつこのフェース部の外縁に沿う方向に延在するリブ４３を有する。リブ４３と前記フェース部との平均間隔は２ｍｍ以上２０ｍｍ以下である。
【００５１】
リブ４３は、厚さ方向に貫通する１又は複数の孔４３ａを有する。当該ゴルフクラブヘッド４０は、リブ４３が１又は複数の孔４３ａを有する以外、図１のゴルフクラブヘッド２と同様の構成とすることができる。
【００５２】
１又は複数の孔４３ａは、リブ４３の任意の位置に形成することが可能である。但し、１又は複数の孔４３ａは、ボールのインパクト時におけるフェース部１２の外周縁側への広がり抑制機能が低下し難い位置に設けられることが好ましい。このような観点から、１又は複数の孔４３ａは、例えば前記フェース部の外縁に沿う方向においてヘッド本体４１の内面の曲率半径が大きい位置の内側に設けられることが好ましい。
【００５３】
＜利点＞
当該ゴルフクラブヘッド４０は、リブ４３が１又は複数の孔４３ａを有するので、リブ４３の重さを小さくすることができる。また、当該ゴルフクラブヘッド４０は、１又は複数の孔４３ａの配置を調節することで、当該ゴルフクラブヘッド４０の重量バランスを調節することができる。
【００５４】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００５５】
当該ゴルフクラブヘッドは、必ずしもリブがヘッド本体の内面の全周に亘って形成されていなくてもよい。図８のゴルフクラブヘッド５０は、フェース部の外縁に沿う方向においてヘッド本体５１の内面の曲率半径が小さくなる部分にのみリブ５３が形成されている。この構成によると、当該ゴルフクラブヘッド５０の重量が大きくなるのを抑えつつ、ボールのインパクト時にフェース部が外周縁側に広がるのを抑えることができる。
【００５６】
当該ゴルフクラブヘッドは、必ずしもリブがシャフト取付部に接続されていなくてもよい。図９のゴルフクラブヘッド６０は、リブ６３が、シャフト取付部６７と離間して、シャフト取付部６７とフェース部６２との間に配置されている。この構成によると、リブ６３をフェース部６２により近接して設けることができる。
【００５７】
当該ゴルフクラブヘッドは、リブがシャフト取付部に接続される場合でも、このシャフト取付部がリブの一部を兼ねない構成とすることも可能である。例えば当該ゴルフクラブヘッドは、前述の第１部分がシャフト取付部の内面に形成されてもよい。
【００５８】
前記リブの配置は、ゴルフクラブヘッドの形状等に対応して設定可能である。前記リブは、フェース部の外縁に沿う方向においてヘッド本体の内面の曲率半径が最小となる位置に形成されない構成とすることも可能である。
【００５９】
前記リブの高さ、厚さ等の形状は、当該ゴルフクラブヘッドの重量バランスを調節すべく部分的に異なっていてもよい。また、前述の第二実施形態では、リブの高さを部分的に大きくすることでリブの強度を部分的に高める構成について説明したが、当該ゴルフクラブヘッドは、リブの厚さを部分的に大きくすることでリブの強度を部分的に高めてもよい。但し、質量あたりのヘッド本体の変形抑制効果を高める観点からは、リブの厚さを大きくするよりもリブの高さを大きくする方が好ましい。
【００６０】
当該ゴルフクラブヘッドは、ヘッド本体の外面に凹凸を設けることも可能である。この凹凸は、ボールのインパクト時におけるヘッド本体の変形しやすさに影響し得る。そのため、当該ゴルフクラブヘッドは、ヘッド本体の外面に凹凸が形成される場合、この凹凸がヘッド本体の変形に与える影響を考慮してリブの強度を調節することも好ましい。
【産業上の利用可能性】
【００６１】
以上説明したように、本発明の一態様に係るゴルフクラブヘッドは、ボールの飛距離を大きくするのに適している。
【符号の説明】
【００６２】
１  ゴルフクラブ
２，２０，３０，４０，５０，６０  ゴルフクラブヘッド
３  シャフト
１１，２１，３１，４１，５１  ヘッド本体
１２  フェース部
１２ａ，６２  フェース面
１２ｂ  フェースセンター
１３，２３，３３，４３，５３，６３  リブ
１３ａ、２３ａ，３３ａ  第１部分
１３ｂ  側面
１４  ソール部
１５  クラウン部
１６  サイド部
１７，６７  シャフト取付部
１７ａ  シャフト挿入部
３４  ウエイト
４３ａ  孔
Ｘ  フェースセンターの接平面
【図１】
2020174904.tif 000003
【図２】
2020174904.tif 000004
【図３】
2020174904.tif 000005
【図４】
2020174904.tif 000006
【図５】
2020174904.tif 000007
【図６】
2020174904.tif 000008
【図７】
2020174904.tif 000009
【図８】
2020174904.tif 000010
【図９】
2020174904.tif 000011